(57)【要約】【課題】撮影画像と他の画像とを合成するに際して、簡易な操作により所望の合成画像が容易に得られるようにする。【解決手段】スイッチボタン２００２が押下されている場合、スイッチ回路１００８は接続位置ｂに接続された状態となり、撮像装置の使用者によってズームレバー２００１（ズームレバー２００１）が操作されると、ズーム制御部１００６を介して撮影画像データ１００２にズーム処理が適応される。それに対して、スイッチボタン２００２が押下されていない場合、スイッチ回路１００８は接続位置ａに接続された状態となり、撮像装置の使用者によってズーム操作部１００９（ズームレバー２００１）が操作されると、記録媒体画像データ１００１にズーム処理が適応される。【選択図】      図１
2004186788.tif 000002
【特許請求の範囲】
【請求項１】
被写体を撮影して取得される第１の画像と、第２の画像とを合成して出力可能な撮像装置であって、
前記第１の画像と前記第２の画像のうちズーム処理を行う画像を選択する選択手段と、
前記第１の画像が選択された場合には前記第１の画像に対するズーム倍率を変更することができ、前記第２の画像が選択された場合には前記第２の画像に対するズーム倍率を変更することができるズーム操作手段とを備えたことを特徴とする撮像装置。
【発明の詳細な説明】
【０００１】
【発明の属する技術分野】
本発明は、デジタルカメラ、デジタルビデオカメラといった撮像装置において、光学系を介して被写体を撮影して取得される第１の画像と記録媒体等に記録された第２の画像を合成するに用いて好適なものである。
【０００２】
【従来の技術】
従来から、デジタルカメラ、デジタルビデオカメラといった撮像装置において光学系を介して撮影した画像と撮像装置に付属された記録媒体等に記録された画像を合成し、パーソナルコンピュータＰＣ等を利用しなくとも合成画像を得ることが可能になっている。
【０００３】
ここで、撮影画像に他の画像を合成する場合に、その合成する画像のズーム倍率を任意に変更できるものがある。倍率変更の方法としては、例えばメニューから「サイズ」もしくは「倍率」等の項目を選択し、予め定められた倍率から希望のサイズを選択するという方法や、特許文献１に記載されているように合成位置の左上の点と右下の点を指定することでサイズと位置を指定する方法等がある。
【０００４】
また、特許文献２に記載されているように撮影画像に対する処理に合わせて、合成する画像の位置及びサイズを変更する方法も提案されている。これは、図２３に示すように、記録媒体２３００１、記録媒体２３００１の画像読み込み部２３００２、撮像部２３００３、記録媒体２３００１の画像に対するズーム処理部２３００９、光学系を調節しズーム等を制御する光学系駆動部２３０１０、撮影画像と記録媒体２３００１の画像を合成する画像合成処理部２３００７、画像出力部２３００８、撮像装置のズームを制御するズームレバー２３０１１、ズームレバー２３０１１からの制御信号を基にズーム処理部２３００９及び光学系駆動部２３０１０の処理を制御するズーム制御部２３０１２から構成される。ここでは、ズームレバー２３０１１からの制御信号を基にズーム制御部２３０１２が光学系駆動部２３０１０とズーム処理部２３００９を制御し、撮影画像及び合成する画像のズームを調節している。これにより、撮影画像が望遠になったときには合成する画像を拡大し、撮影画像が広角になったときには合成する画像を縮小する等の制御を行い、容易に合成画像を作成することが可能となる。
【０００５】
【特許文献１】
特開平１１−３３１６９９号公報
【特許文献２】
特開平６−１３３２２１号公報
【０００６】
【発明が解決しようとする課題】
しかしながら、前記従来例のようにメニュー選択等の操作により合成する画像の倍率を変更する方法では、所望の倍率となるまでメニュー選択等の同じ操作を繰り返さなければならない。また、合成する画像のサイズを変更するたびにメニュー選択を行う必要があり操作が煩雑になってしまう。
【０００７】
また、特許文献２に開示されているように撮影画像に対する操作に応じて自動的に合成する画像の倍率や位置を変更する方法では、合成する画像のサイズ調節をメニュー選択等によって行う必要はないが、撮影画像に対する操作に連動させたくない場合にはメニュー等の操作により連動しないモードへの切り替える等の操作が必要である。
【０００８】
本発明は、前記問題点を考慮し、撮影画像と他の画像とを合成するに際して、簡易な操作により所望の合成画像が容易に得られるようにすることを目的とする。
【０００９】
【課題を解決するための手段】
本発明の撮像装置は、被写体を撮影して取得される第１の画像と、第２の画像とを合成して出力可能な撮像装置であって、前記第１の画像と前記第２の画像のうちズーム処理を行う画像を選択する選択手段と、前記第１の画像が選択された場合には前記第１の画像に対するズーム倍率を変更することができ、前記第２の画像が選択された場合には前記第２の画像に対するズーム倍率を変更することができるズーム操作手段とを備えた点に特徴を有する。
【００１０】
【発明の実施の形態】
以下、図面を参照して、本発明の実施の形態を説明する。
【００１１】
（第１の実施の形態）
第１の実施の形態は撮影画像のズーム倍率と、撮影画像に合成する画像のズーム倍率を同一のズーム操作部で変更することができるようにした例である。
【００１２】
図１は第１の実施の形態の撮像装置の構成を表すブロック図であり、同図において、１００１はメモリカード等の記録媒体（以下では、記録媒体に保存された画像データを指すこともある）、１００２は本実施の形態のデジタルビデオカメラ等の撮像装置で撮像素子（以下では、撮像素子によって画像化された撮影画像データを指すこともある）を表す。
【００１３】
１００３、１００５は電子ズーム処理部、１００４は光学ズーム処理部、１００６はズーム処理部１００４、１００５を制御するズーム制御部である。１００８はスイッチ回路、１００９は撮像装置の使用者が撮影時のズーム倍率を操作するズーム操作部である。
【００１４】
１０１０は電子ズーム処理部１００３、１００５の後段に配置され、記録媒体からの画像データ１００１と撮影画像データ１００２を合成し一つの画像データを生成する画像合成処理部、１０１１は画像データを目視できる形で出力できる液晶モニタ等の出力装置である。
【００１５】
図２は、本実施の形態の撮像装置であるデジタルビデオカメラの外観構成図である。図２において２００１は図１のズーム操作部１００９に対応するズームレバー、２００２は図１のスイッチ回路１００８に対応するスイッチボタン、２００３はメニュー選択等の操作を行う十字方向キー、２００４は図１の出力装置１０１１に対応する液晶モニタである。なお、ズーム操作部１００９（ズームレバー２００１）が本発明でいうズーム操作手段、スイッチ回路１００８（スイッチボタン２００２）が本発明でいう選択手段に相当する。
【００１６】
図３（ａ）〜（ｆ）には、スイッチボタン２００２及びズームレバー２００１の状態と、液晶モニタ等の出力装置１０１１に表示される撮影画像３００４及び合成する画像３００３の関係を示す。
【００１７】
メニューの選択等の操作（図示しない）によって、撮影画像３００４に合成する画像（記録媒体画像）３００３が決定されると、図３に示すような画像合成モードに切り替わる。ここでは、図３に示す山の撮影画像３００４に対して「××山」という吹き出しの画像３００３を合成する例を説明する。なお、ここでは撮影画像に合成する画像は、図１に示したように撮像装置に接続された記録媒体に保存されている画像データ１００１を用いる例を説明するが、撮影画像データ１００２の一部もしくは過去に撮影されて撮像装置内に保存されている画像データ等を用いてもよい。
【００１８】
スイッチボタン２００２が図２に示す（ｂ）の状態（押下されている状態）の場合、図１のスイッチ回路１００８は接続位置ｂに接続された状態となる。この状態において撮像装置の使用者によってズーム操作部１００９（ズームレバー２００１）が操作されると、ズーム制御部１００６を介して撮影画像データ１００２にズーム処理が適応される。
【００１９】
これは従来のズーム機能付きカメラと同様の機能であり、撮像装置の使用者によってズームレバー２００１の（Ｗ）側が押下されると図３（ａ）のように広角になり、（Ｔ）側が押下されると図３（ｃ）のように望遠の画像が光学ズーム処理部１００４の働きにより撮影される。
【００２０】
また、光学ズームの望遠限界点に達するとズーム制御部１００６により電子ズーム処理部１００５に制御が渡され電子ズーム処理を用いて撮影することが可能な点も従来のズーム機能付きカメラと同様である。また、ズーム処理の実現手法についても従来と同様の手法でかまわないため今回は説明を省略する。
【００２１】
次に、スイッチボタン２００２が図２に示す（ａ）の状態（押下されていない状態）の場合、図１のスイッチ回路１００８は接続位置ａに接続された状態となる。この状態において撮像装置の使用者によってズーム操作部１００９（ズームレバー２００１）が操作されると、記録媒体画像データ１００１にズーム処理が適応される。
【００２２】
すなわち、電子ズーム処理部１００３によって吹き出しの画像３００３のみが電子ズームする。撮像装置の使用者によってズームレバー２００１の（Ｗ）側が押下されると図３（ｄ）のように吹き出し画像３００３を縮小し、（Ｔ）側が押下されると図３（ｆ）のように吹き出し画像３００３を拡大する。このとき、撮影画像３００３のズーム倍率は変化しない。また、十字方向キー２００３を用いて合成する位置を指定することも可能である。
【００２３】
電子ズーム処理部１００３は撮影画像データ１００２に対する電子ズーム処理部１００５と同様のものでもよいが、合成する画像データ１００１が文字フォントの指定やベクトルデータの場合には、ビットマップ等の画像に変換して直接電子ズーム処理を行うのではなく、フォントや倍率を指定するパラメータを決定するものであってもよい。
【００２４】
以上述べた過程で生成された撮影画像データ１００２と記録媒体画像データ１００１は、画像合成処理部１０１０によって１つの画像データとして合成され、液晶モニタ等の出力装置１０１１において図３に示す形式で出力される。画像の合成処理及び出力は随時行われるため、使用者はスイッチ回路１００８（スイッチボタン２００２）を切り替えながら撮影画像のズーム倍率と合成する画像の倍率をそれぞれ任意に設定することができる。
【００２５】
（第２の実施の形態）
第２の実施の形態は、前記第１の実施の形態のように画像を合成する際にズームレバー２００１による撮影画像及び記録媒体画像のズーム制御を行う構成に加えて、画像を合成した後にズームレバー２００１によるズーム制御を行う構成を追加した例である。
【００２６】
図４は第２の実施の形態の撮像装置の構成を表すブロック図である。合成する画像データ（記録媒体画像データ）４００１〜出力装置４０１１は図１に示した合成する画像データ１００１〜出力装置１０１１と同様であるが、ズーム制御部４００６が電子ズーム処理部４００３も制御するとともに、電子ズーム処理部４００３とズーム制御部４００６の間にスイッチ回路４００７を追加している。
【００２７】
また、デジタルビデオカメラの外観構成は図２に示したものと同様であるが、スイッチ回路４００７に対応する図示しないスイッチボタンを新たに追加している。このスイッチボタンを押すことによりスイッチ回路４００７のオン／オフを切り替えることができる。この切り替えスイッチは前記のようにボタンで実装してもよいし、メニュー等で切り替えるようにしておいてもよい。
【００２８】
まず、スイッチ回路４００７が接続されていない状態（オフ状態）のときには、撮影画像データ１００２と記録媒体画像データ１００１の倍率を前記第１の実施の形態と同様に変更することができる（図３を参照）。つまり、スイッチボタン２００２が図２に示す（ｂ）の状態（スイッチ回路４００８が接続位置ｂに接続された状態）にあるときにはズームレバー２００１を操作することによって撮影画像の倍率を調節し、スイッチボタン２００２が図２の（ａ）に示す状態（スイッチ回路４００８が接続位置ａに接続された状態）に変更されると合成する画像（記録媒体画像）の倍率を変更することができる。
【００２９】
一方、スイッチ回路４００７が接続されている状態（オン状態）のときについて説明すると、スイッチボタン２００２が図２に示す（ａ）の状態の場合、スイッチ回路４００８は接続位置ａに接続された状態となる。この状態においてズームレバー２００１が操作されると、ズーム制御部４００６を介して記録媒体画像データ４００１にズーム処理が適応される。これは図５（ｄ）、（ｅ）、（ｆ）に図示したようになり、第１の実施の形態及びスイッチ回路４００７が接続されていない場合のときと同様である。
【００３０】
次に、スイッチボタン２００２が図２に示す（ｂ）の状態に変更されると、スイッチ回路４００８が接続位置ｂに接続された状態となる。この状態においてズームレバー２００１が操作されると、ズーム制御部４００６を介して撮影画像３００４のズーム倍率に対して記録媒体画像３００３の倍率の比率が一定になるようにズーム制御が行われる。つまり、図５（ａ）、（ｂ）、（ｃ）に示すように撮影画像３００４のズームに合わせて合成する画像３００３の倍率も共に変化するように、ズーム制御部４００６が光学ズーム処理部４００４及び電子ズーム処理部４００５と、電子ズーム処理部４００３とを制御する。
【００３１】
スイッチ回路４００７をオン状態にするかオフ状態にするかは上述したように図示しないスイッチボタンやメニュー選択によって可能であり、使用者が任意に指定することが可能である。これは、撮影画像のズーム倍率に関わらず合成する画像のサイズを一度決定すると一定である方が望ましいものと、撮影画像のズーム倍率に対応して合成する画像のサイズが適宜変更される方が望ましいものとがあるためである。
【００３２】
例えば図６に示す額縁の画像６００１や「××山」といったテロップ又は文字の画像６００２を撮影画像に合成する場合には、撮影画像６００３、６００４の画角に関わらず、合成する画像６００１、６００２のサイズを一定にした方がよいと思われる。
【００３３】
一方、図７に示すコメントの吹き出しの画像７００１や音符の画像７００２を撮影画像に合成する際には、撮影画像７００３、７００４のズーム倍率に合わせて合成する画像７００１、７００２のサイズを変更した方がよいと思われる。
【００３４】
図８は本実施の形態における撮影画像のズーム倍率と記録媒体画像のズーム倍率の関係を示したものである。図８（ａ）、（ｂ）においてグラフの横軸は撮影画像のズーム倍率、縦軸は合成する画像（記録媒体画像）のズーム倍率、横軸におけるｔの位置は撮影画像の光学ズームの限界点、直線８００１、８００２は撮影画像のズーム倍率と合成する画像のズーム倍率の関係を示している。
【００３５】
図８（ａ）のグラフは撮影画像のズーム倍率によって合成する画像のズーム倍率を変更しない場合を示しており、撮影画像のズーム倍率に対して記録媒体画像の倍率は一定である。それに対して、図８（ｂ）のグラフは撮影画像のズーム倍率に合わせて合成する画像のズーム倍率を変更する場合であり、撮影画像のズーム倍率と記録媒体画像のズーム倍率の比が一定となっている。
【００３６】
（第３の実施の形態）
図９は第３の実施の形態の撮像装置の構成を表すブロック図であり、同図において、９００１はメモリカード等の記録媒体（以下では、記録媒体に保存された画像データを指すこともある）、９００２は本実施の形態のデジタルビデオカメラ等の撮像装置で撮像素子（以下では、撮像素子によって画像化された撮影画像データを指すこともある）。
【００３７】
９００３、９００５は電子ズーム処理部、９００４は光学ズーム処理部、９００６は各ズーム処理部１００３〜１００５を制御するズーム制御部である。９００８はスイッチ回路、９００９は撮像装置の使用者が撮影時のズーム倍率を操作するズーム操作部である。
【００３８】
９０１０は光学ズーム処理部９００４と電子ズーム処理部９００５の間に配置され、記録媒体からの画像データ９００１と撮影画像データ９００２を合成し一つの画像データを生成する画像合成処理部、９０１１は画像データを目視できる形で出力できる液晶モニタ等の出力装置である。
【００３９】
なお、デジタルビデオカメラの外観構成は図２に示したものと同様である。
【００４０】
撮影画像に対して合成する画像（記録媒体画像）が決定され、スイッチボタン２００２が図２に示す（ｂ）の状態（スイッチ回路９００８が接続位置ｂに接続された状態）にあるときにはズームレバー２００１を操作することによって撮影画像の倍率を調節し、スイッチボタン２００２が図２の（ａ）に示す状態（スイッチ回路９００８が接続位置ａに接続された状態）に変更されるとズームレバー２００１を操作することによって合成する画像の倍率を変更する点は前記第１、２の実施の形態と同様である。
【００４１】
ただし、撮影画像データ９００２に対して電子ズーム処理を行う場合は、図９に示すように、画像合成処理部９０１０において一度記録媒体の画像データ９００１と合成処理を行ってから電子ズーム処理を行うことになる。
【００４２】
ここで、第２の実施の形態と同様に、撮影画像のズーム倍率に関わらず合成する画像のサイズを一定に保つ場合と、撮影画像のズーム倍率に対応して合成する画像のサイズを適宜変更する場合とが考えられる。
【００４３】
図１０は図８と同様に撮影画像のズーム倍率と記録媒体画像のズーム倍率をどのように制御するかを示した特性図である。図１０（ａ）、（ｂ）においてグラフの横軸は撮影画像のズーム倍率、縦軸は合成する画像の画像サイズ、横軸におけるｔの位置は撮影画像の光学ズームの限界点、直線１０００１、１０００２は撮影画像のズーム倍率と合成する画像のズーム倍率の関係を示している。
【００４４】
図１０（ａ）のグラフは撮影画像のズーム倍率に同期して合成する画像のズーム倍率を変更しない場合、図１０（ｂ）のグラフは撮影画像のズーム倍率に同期して合成する画像のズーム倍率を変更する場合のズーム倍率の制御を示している。
【００４５】
ここで、画像合成処理部９０１０での処理後の合成画像に対して電子ズーム処理部９００５での電子ズーム処理を行わない場合、つまりグラフの横軸のｔ点より左側では、第２の実施の形態と同様の制御を行う。一方、合成画像に対する電子ズーム処理部９００５での電子ズームを用いる場合には、合成する画像のサイズを予め電子ズーム処理部９００５でのズーム倍率に合わせて調節した後、画像合成処理部９０１０で撮影画像との画像合成処理行う。
【００４６】
図１１は合成画像を電子ズームする際の例を示している。図１１において１１００１、１１００２は電子ズーム範囲、１１００３、１１００４は合成する画像である。
【００４７】
額縁の画像データ１１００３のように、撮影画像のズーム倍率に同期してズーム倍率を変更すべきでない画像を合成し電子ズームで拡大する場合には、予め額縁の画像１１０３のように電子ズームの倍率に合わせて縮小してから合成する。つまり、図１０（ａ）のグラフに示すように電子ズーム処理部９００５でのズーム倍率が大きくなるにつれて、合成する画像９００５を縮小していく制御を行い、電子ズーム処理部９００５でのズーム処理を行っても画像のサイズが一定であるように見せる。
【００４８】
それに対して、音符の画像１１００４のように、撮影画像のズーム倍率に合わせてズーム倍率を変更する必要がある画像を合成する場合には、電子ズーム処理部９００５で拡大する際に電子ズーム処理によって音符の画像１１００４も同時に拡大されるため、図１０（ｂ）のグラフに示すように合成前に画像１１００４のサイズを調節せず一定のままとする。
【００４９】
（第４の実施の形態）
図１２は第４の実施の形態の撮像装置の構成を表すブロック図であり、同図において、１２００１はメモリカード等の記録媒体、１２００２は記録媒体１２００１に保存された画像データを撮像装置の内部メモリに読み込む画像読み込み部、１２００３はＣＣＤ等の撮像素子によって被写体を撮像する撮像部である。
【００５０】
１２００４は記録媒体１２００１から読み出した画像データからメタデータを抽出するメタデータ抽出処理部、１２００５はメタデータから特徴情報を取得する特徴情報抽出部、１２００６は特徴情報を判定し制御情報をスイッチ回路１２０１３に渡す特徴情報判定部である。
【００５１】
１２００７は記録媒体１２００１から読み出した画像データと撮影画像データを合成する画像合成処理部、１２００８は合成された画像データを出力する出力部である。
【００５２】
１２００９は記録媒体１２００１から読み出した画像に対する電子ズーム処理部、１２０１０は光学系を調節し、ズーム・フォーカス等を制御する光学系駆動部、１２０１１は各ズームの制御を行うズームレバー、１２０１２は各ズームの制御を行うズーム制御部、１２０１３はスイッチ回路である。
【００５３】
図１３は撮影画像と撮影画像上に合成する画像及び出力される出力画像を撮像装置に付属された液晶モニタ等の出力部に出力した様子を示している。図１３において１３００１は撮像部１２００３で撮影された撮影画像、１３００２、１３００３は記録媒体１２００１から読み出した合成する画像、１３００４〜１３００９は合成画像の出力画像、１３０１０、１３０１１は合成モード表示アイコンを示している。
【００５４】
図１４は合成する画像データ内部の構造を示している。データの先頭部には画像データに関するヘッダ１４００１があり、その後にメタデータ１４００３があり、最後に画像データ１４００４がある。また、メタデータを検出するためのマーカーコード１４００２がメタデータ１４００３の先頭部分に格納されている。ここで、メタデータ（ｍｅｔａ−ｄａｔａ）とは「データに関するデータ」であり、この場合画像データ１４００４を説明するデータとして用いる。
【００５５】
まず撮影画像１３００１に対して合成する画像の特徴について説明する。ここでは、合成する画像が、図１３に示すような飛行機の画像１３００２である場合と、図１３示すような額縁の画像１３００３である場合とに分けて説明する。
【００５６】
まず飛行機の画像１３００２を合成する場合について考える。この飛行機の画像１３００２は一度画面上での合成画像サイズが決定すると、撮影画像１３００１のズーム倍率に応じて自動的にサイズが変更された方が望ましい。つまり、１３００４に示すように撮影画像が広角の場合には縮小して表示され、１３００５、１３００６のように撮影画像が望遠になるにつれて拡大された後合成されることが望ましい。
【００５７】
一方、額縁の画像１３００３を合成する場合については、撮影画像１３００１の倍率に関係なく１３００７〜１３００９に示すように撮影画像が広角・望遠に関わらず一定サイズで表示されることが望ましいと思われる。
【００５８】
このように、合成する画像の特徴によって、合成する画像のサイズを撮影画像のズーム倍率に合わせて変化させた方が良いものと、変化させず一定の方が良いものとが存在する。
【００５９】
次に、本実施の形態の撮像装置における処理の流れについて順に説明する。メニュー選択等の操作（図示しない）によって撮影画像１３００１と合成する記憶装置１２００１内の画像データ１３００２もしくは１３００３が決定されると画像合成モードに切り替わる。
【００６０】
画像読み取り部１２００２によって撮像装置内のメモリに合成する画像が読み込まれると、画像フォーマットを確認し対応したデータであるかチェックする。フォーマットが撮像装置で対応しているフォーマットである場合、メタデータ抽出部１２００４において、メタデータを検出するためのマーカーコード１４００２を検出する。このマーカーコード１４００２は所定のサイズを持っており、例えば２バイトの場合にはＦＦ９０ｈ等のコードがメタデータの検出用に割り当てられており、このマーカーコードを検出することでメタデータ１４００３の位置を検出することが可能である。
【００６１】
メタデータ１４００３の位置を検出すると、特徴情報抽出部１２００５において、メタデータ１４００３の先頭１バイト１４００５を読み込む、この１バイトの値が００ｈのときには、特徴情報判定部１２００６によってズーム連動なしの判定を行い、スイッチ回路１２０１３をオフ状態にする。
【００６２】
この状態では、撮像装置のズームレバー１２０１１を使用者が操作すると、ズームレバー１２０１１からの信号をズーム制御部１２０１２が受け、撮影画像のズームを調節するように光学系駆動部１２０１０を制御する。記録媒体１２００１から読み出した画像に対する電子ズーム処理部１２００９はスイッチ回路１２０１３がオフ状態のため、ズーム処理は行わず画像合成処理部１２００７へ進む。
【００６３】
画像合成処理部１００７ではズーム制御された撮影画像とズーム処理されていない記録媒体１２００１から読み出した画像を合成し、出力部１２００８で合成画像の出力を行う。つまり、額縁の画像１３００３のように撮影画像のズームに連動してズームしないように制御する。
【００６４】
一方、メタデータ１４００３の先頭１バイトが０１ｈのときには、特徴情報判定部１２００６でズーム連動の判定を行い、スイッチ回路１２０１３をオン状態にする。
【００６５】
この状態では、ズームレバー１２０１１からの信号に応じて、ズーム制御部１２０１２が電子ズーム処理部１２００９にも働き、記録媒体１２００１から読み出した画像に対して電子ズーム処理を行う。つまり、飛行機の画像１３００２のように撮影画像のズームに連動して拡大縮小するように制御する。このとき、図示しない別の操作装置もしくはメニュー操作等によって合成画像１３００２のみの拡大縮小を行うことも可能である。
【００６６】
また、液晶モニタ等の出力部１２００８には合成画像と共に、現在合成している画像がズームに連動しているか、連動していないかを撮像装置の使用者に知らせるためのアイコン１３０１０、１３０１１が表示される。
【００６７】
合成する画像がズームに連動する／しないの判断は、合成画像１３００２、１３００３の作成者が予め画像の性質から決定し、メタデータとして格納しておいても良いし、撮像装置側で使用者が設定を行い画像内のメタデータを書き換えてもよい。
【００６８】
また、メタデータ１４００３の２バイト目以降に初期状態での拡大倍率、合成位置等を格納しておき、そのデータを読み込み合成の際に利用してもよい。図１４の例ではフラグデータ１４００５の後に続いて合成する画像の初期拡大率データ１４００６、合成する際に最初に表示するオフセット位置１４００７、１４００８を指定している。その他に拡大・縮小する際の最大最小サイズの指定等、どのようなパラメータが格納されていてもかまわない。
【００６９】
前記のようなメタデータの画像データ上の位置及びデータの内容は一例であり、メタデータがファイルの最後にある等、どのような位置にあっても良く、データの内容も撮影画像が望遠になったときには拡大し広角になったときには縮小する（あるいはその逆）等合成画像ごとの細かい情報を入れておいてもよい。また、メタデータに直接データを書き込まずに、他のファイルヘのファイルパスやポインタ等を記入しておいても良い。また、メタデータの記述には前記の例のようにデータをそのまま記述しても良いし、ＸＭＬやＨＴＭＬ、ＳＧＭＬ等の記述言語で記述されていても良い。その場合、メタデータ部分を編集するツールがあればメタデータの追加・変更・参照等の編集が可能である。
【００７０】
ここでは、マーカーコード１４００２を用いてメタデータ１４００３の切り出しを行ったが、他の方法でメタデータを切り出す場合にはマーカーコードは必ずしも必要ではない。また、電子透かし等の方法を用いてメタデータを画像データ内に埋め込む方法であってもよい。
【００７１】
また、本実施の形態は撮影画像１３００１の撮影時に限定するものではなく、撮影時の撮像装置の操作を記録するか、撮影画像の動きベクトルから判断し、画像再生時に合成画像を作成し、出力する場合も含んでいる。
【００７２】
（第５の実施の形態）
第５の実施の形態は、第４の実施の形態で説明したズーム時の連動に加えて、撮影画像のパンニング・チルティング・回転時の連動を加えた場合の例である。図１５は第５の実施の形態の撮像装置の構成を表すブロック図であり、同図において、１５００１はメモリカード等の記録媒体、１５００２は記録媒体１５００１に保存された画像データを撮像装置の内部メモリに読み込む画像読み込み部、１５００３はＣＣＤ等の撮像素子によって被写体を撮像する撮像部である。
【００７３】
１５００４は記録媒体１５００１から読み出した画像データからメタデータを抽出するメタデータ抽出処理部、１５００５はメタデータから特徴情報を取得する特徴情報抽出部、１５００６は特徴情報を判定し制御情報を画像処理制御部１５０１２に渡す特徴情報判定部である。
【００７４】
１５００７は記録媒体１５００１から読み出した画像データと撮影画像データを合成する画像合成処理部、１５００８は合成された画像を出力する出力部である。
【００７５】
１５００９は記録媒体１５００１から読み出した画像に対して拡大縮小・回転等の画像処理を行う画像処理部、１５０１０は光学系を調節し、ズーム・フォーカス等を制御する光学系駆動部、１５０１１は撮像装置の各種制御を行うカメラ制御部、１５０１２は画像処理部１５００９の処理を制御する画像処理制御部である。
【００７６】
図１６は撮影画像と撮影画像上に合成する画像及び出力される出力画像を撮像装置に付属された液晶モニタ等の出力部に出力した様子を示している。図１６において１６００１は撮像部１５００３で撮影された撮影画像、１６００２は記録媒体１５００１から読み出した合成する画像、１６００３〜１６００５は合成画像の出力画像、１６００６は合成モード表示アイコンを示している。
【００７７】
図１７は図１６と同様に撮影画像と撮影画像上に合成する画像及び出力される出力画像の様子を示している。図１７において１７００１は撮像部１５００３で撮影された撮影画像、１７００２は記録媒体１５００１から読み出した合成画像、１７００３、１７００４は合成画像の出力画像、１７００５、１７００６はそれぞれ出力画像１７００３、１７００４を表示しているときの撮像装置の外観、１７００７は合成モード表示アイコンを示している。
【００７８】
図１８は合成する画像データ内部の構造を示している。１８００１は画像のヘッダ、１８００２はマーカーコード、１８００３はメタデータ、１８００４は画像データである。また１８００５はメタデータ１８００３の先頭１バイトを示しており、１８００６〜１８００９は該先頭１バイト１８００５の下位４ビットのデータを示している。
【００７９】
メニュー選択等の操作（図示しない）によって、撮影画像１６００１、１７００１に合成する記憶装置１５００１内の画像１６００２もしくは１７００２が選択的に決定されると画像合成モードに切り替わる。画像読み取り部１５００２によって撮像装置内のメモリに合成する画像１６００２もしくは１７００２のデータが読み込まれる。読み込んだ合成する画像１６００２、１７００２のデータからメタデータ抽出部１５００４でメタデータ１８００３を抽出し、特徴情報抽出部１５００５においてメタデータから特徴情報１８００５を抽出するまでは前記第１の実施の形態と同様である。
【００８０】
抽出したメタデータ１８００３の先頭１バイト１８００５は撮像装置の動きに連動する／しないを決定するフラグになっている。図１８では先頭１バイトのうち下位４ビットを用いて、ズーム１８００６・パンニング１８００７・チルティング１８００８・回転１８００９に対する連動フラグを示している。カメラ制御部１５０１１では、ズームに加えて撮像装置のパンニング・チルティング・回転を制御し、その制御信号を出力する。
【００８１】
前記各連動フラグを特徴情報判定部１５００６において判定し、画像処理制御部１５０１２へ制御情報を渡す。画像処理制御部１５０１２では各連動フラグ情報とカメラ制御部１５０１１からの制御信号に基づき画像処理部１５００９の処理の制御を行う。
【００８２】
カメラ制御部１５０１１からの信号に撮像装置に対するズーム制御信号が含まれた場合において、ズーム連動フラグ１８００６が１の時には、画像処理制御部１５０１２の制御により合成する画像はズームに連動するように画像処理部１５００９において拡大縮小された後、画像合成処理部１５００７で合成処理され、ズーム連動フラグ１８００６が０の時には、画像処理制御部１５０１２の制御により合成する画像は撮影画像のズームに連動せず一定の大きさのまま、画像合成処理部１５００７において合成処理される。
【００８３】
次に、撮影画像が１６００１のような画像であり合成する画像が１６００２のような吹き出しの画像である場合を考える。画像合成モードにおいて、パンニング連動フラグ１８００７が１の時において、カメラ制御部１５０１１からの制御信号にパンニング信号が含まれた場合、撮影画像のパンニング操作に連動して、画像処理制御部１５０１２の制御によって、合成する画像１６００２を画像処理部１５００９において左右に移動処理させた後、撮影画像１６００１と合成し、合成画像１６００４を出力する。
【００８４】
また、チルティング連動場合も同様に画像合成モードにおいて、チルティングフラグ１８００８が１の時において、カメラ制御部１５０１１からの制御信号にチルティング信号が含まれた場合、撮像装置のチルティング操作に連動して、画像処理制御部１５０１２の制御によって、合成する画像１６００２を画像処理部１５００９において上下に移動させた後、撮影画像１６００１と合成し、合成画像１６００５を出力する。
【００８５】
一方で、パンニング連動フラグ、チルティング連動フラグがそれぞれ０の場合には、撮像装置のパンニング・チルティング操作に連動することなく一定のサイズを保つように画像処理制御部１５０１２が画像処理部１５００９の制御を行う。
【００８６】
次に、撮影画像が１７００１のような画像であり、合成する画像が１７００２の看板のような画像である場合を考える。画像合成モードにおいて、回転連動フラグ１８００９が１の時に、カメラ制御部１５０１１からの制御信号に撮像装置が所定の角度回転した信号が含まれた場合、画像処理制御部１５０１２の制御に応じて、画像処理部１５００９でその回転角度に合わせて合成する画像１７００２を回転させた後、撮影画像１７００１と合成する。つまり、１７００２のような看板の画像を撮影画像１７００１に合成する場合、看板が常に画面の下側になるように回転・移動させる。例えば撮像装置が１７００５のような状態においては、１７００３のような合成画像を出力し、撮像装置を９０°傾けた１７００６のような状態においては、１７００４のように常に画面の下側になるように回転・移動した後、合成処理を行う。
【００８７】
前記例では、カメラ制御部１５０１１のズーム・パン・チルト等のカメラ制御信号を基にカメラの動きを判定したが、画像の現在のフレームと過去のフレームとの差分を用いて動きベクトルを検出し動き量を求める等、既知のアルゴリズムを利用し撮影画像から検出するものであってもかまわない。
【００８８】
また、撮像装置の回転に関しては、ジャイロセンサ等の傾き検出センサの情報を利用する方法であってもよい。
【００８９】
（第６の実施の形態）
第６の実施の形態は第４、５の実施の形態におけるメタデータをデータベースで管理する場合の例である。図１９は第６の実施の形態の撮像装置の構成を表すブロック図であり、同図において、１９００１はメモリカード等の記録媒体、１９００２は記録媒体１９００１に保存された画像データを撮像装置の内部メモリに読み込む画像読み込み部、１９００３はＣＣＤ等の撮像素子によって被写体を撮像する撮像部である。
【００９０】
１９００４は記録媒体１９００１から読み出した画像データを基にデータベース１９０１３にアクセスするデータベースアクセス部、１９００５はデータベース１９０１３から得たメタデータから特徴情報を取得する特徴情報抽出部、１９００６は特徴情報を判定し制御情報を画像処理制御部１９０１２に渡す特徴情報判定部である。
【００９１】
１９００７は記録媒体１９００１から読み出した画像データと撮影画像データを合成する画像合成処理部、１９００８は合成された画像を出力する出力部である。
【００９２】
１９００９は記録媒体１９００１から読み出した画像に対して拡大縮小・回転等の画像処理を行う画像処理部、１９０１０は光学系を調節し、ズーム・フォーカス等を制御する光学系駆動部、１９０１１は撮像装置の各種制御を行うカメラ制御部、１９０１２は画像処理部１９００９の処理を制御する画像処理制御部、１９０１３はデータベースである。
【００９３】
図２０は合成する画像データとメタデータをデータベースで管理する方法を概念的に示した図である。同図において、２０００１は画像データとメタデータを管理するデータベース、２０００２はメタデータテーブル、２０００３は画像データである。ここでは、記録媒体１９００１内に保存された画像データと、その画像の合成時の特徴情報を含むメタデータをデータベースで管理している。このメタデータは記録媒体１９００１に保存された各画像に対して、一つずつ用意されていてもよいし、共通の特徴を有する画像に対して一つのメタデータを用意しておいてもよい。
【００９４】
ある合成する画像データ２０００３を選択し、画像読み込み部１９００２で撮像装置内の内部メモリに画像データ２０００３を読み込み合成処理モードに移行するまでは前記第４、５の実施の形態と同様である。
【００９５】
データベースアクセス部１９００４では読み込んだ画像データのＩＤをキーとしてデータベース１９０１３（２０００１）にアクセスし、画像データのＩＤに対応するメタデータ２０００２を検出する。特徴情報抽出部１９００５において該メタデータから合成に関する特徴情報を抽出し、特徴情報判定部１９００６において合成処理の内容を判定し、画像処理制御部１９０１２へ制御情報を渡す。対応するメタデータがデータベースで検出できなかった場合は所定の判定情報（例えばすべて連動しない）を画像処理制御部１９０１２へ渡す。
【００９６】
以降の処理は第５の実施の形態と同様である。また、メタデータの構成や記述方式は第４、５の実施の形態と同様のもので良い。この方式では、画像データとメタデータを別に管理するため、メタデータを含まない既存の画像データにも対応できるという利点がある。なお、データベースは撮像装置内部のメモリ内に存在してもよいし、メモリカード等の着脱可能な記憶メディア上に存在してもよい。また、撮像装置外部に存在し、ネットワークを経由してアクセス可能である等どのような形態でもかまわない。
【００９７】
（第７の実施の形態）
第７の実施の形態は第４、５の実施の形態におけるメタデータの変わりにファイル名もしくはファイルのディレクトリ情報を用いた場合の実施例である。図２１は第７の実施の形態の撮像装置の構成を表すブロック図であり、同図において、２１００１はメモリカード等の記録媒体、２１００２は記録媒体２１００１に保存された画像データを撮像装置の内部メモリに読み込む画像読み込み部、２１００３はＣＣＤ等の撮像素子によって被写体を撮像する撮像部である。
【００９８】
２１００４は記録媒体２１００１から画像のファイル名もしくはディレクトリ等の情報を取得するファイル情報取得部、２１００５は取得したファイル情報から合成に関する特徴情報を取得する特徴情報抽出部、２１００６は特徴情報を判定し制御情報を画像処理制御部２１０１２に渡す特徴情報判定部である。
【００９９】
２１００７は記録媒体２１００１から読み出した画像データと撮影画像データを合成する画像合成処理部、２１００８は合成された画像を出力する出力部である。
【０１００】
２１００９は記録媒体２１００１から読み出した画像に対して拡大縮小・回転等の画像処理を行う画像処理部、２１０１０は光学系を調節し、ズーム・フォーカス等を制御する光学系駆動部、２１０１１は撮像装置の各種制御を行うカメラ制御部、２１０１２は画像処理部２１００９の処理を制御する画像処理制御部である。
【０１０１】
図２２は本実施例における撮影画像と合成する合成画像とそのファイル名を示している。同図において、２２００１、２２００２は撮影画像に合成する画像、２２００３は合成する画像２２００１のファイル名、２２００４は合成する画像２２００２のファイル名を示している。また、２２００５、２２００６はディレクトリ、２２００７、２２００８は各ディレクトリ内に含まれる合成画像ファイルを示している。
【０１０２】
本実施の形態での処理を説明する。画像読み込み部２１００２において記録媒体２１００１の画像を内部メモリに取り込み、合成処理モードに移行するまでは第４〜６の実施の形態と同様である。ここで読み込んだ画像データのファイル名もしくはディレクトリ情報をファイル情報取得部２１００４で取得する。ここで得たファイル名及びディレクトリ情報を基に合成処理を制御するための特徴情報を特徴情報抽出部２１００５において抽出する。
【０１０３】
以下では合成を制御するための特徴情報をファイル名から抽出する場合と、ディレクトリから抽出する場合とに分けて説明を行う。まず、メタデータの代わりにファイル名を利用する場合について説明する。第５の実施の形態ではメタデータの先頭の１バイト１８００５を撮影画像に連動して合成画像を処理する／しないのフラグに用いた。このメタデータの先頭１バイト０９ｈをそのままテキストとしてファイル名に加え、ファイル名２２００３のようにする。これにより画像データ内にメタデータ等を埋め込むことなく利用可能である。また先頭から２バイト目以降のデータ、例えば合成時の画像の初期位置、拡大倍率、回転角度等を含めたデータも含めてファイル名２２００４のように記述してもよい。この方式では前記の例の合成画像２２００１、２２００２に含まれる合成の際の付加情報のデータ量がファイル名として記述できるほど少ない場合には、ファイルのフォーマットも変更する必要がないため、既存の画像データにも対応できるという利点がある。
【０１０４】
次に、ディレクトリ情報を用いて管理する方法について述べる。ここでは撮影画像のズームに連動して合成画像を拡大縮小する／しないという判断をその合成画像が置かれたディレクトリによって行う。図２２の例ではズームに連動するディレクトリ２２００５とズームに連動しないディレクトリ２２００６が存在する。ここで、ズームに連動させて変更させたい飛行機の画像１３００２（図１３参照）のようなデータはズームに連動するディレクトリ２２００５に置き、額縁の画像１３００３（図１３参照）のようなデータはズームに連動しないディレクトリ２２００６に置いておく。撮像装置は画像合成モードに入り、合成する画像を読み出すとその画像のディレクトリによって撮影画像のズームに連動する／しないを判断することが可能である。この場合、ズームする／しないといったように情報量が非常に少ない場合は良いが、情報量が増えてくるとディレクトリを複数もしくは階層的に用意する必要があり効率的ではなくなる。またこれ以外に、ファイル名とディレクトリを組み合わせる方法を用いてもよく、合成画像のファイルパスから検出する方法であってもよい。
【０１０５】
以上のようにして特徴情報を取得すると特徴情報判定部２１００６において、合成処理の内容を判定し、画像処理制御部２１０１２へ制御情報を渡す。以降の処理は第５の実施の形態と同様である。
【０１０６】
（その他の実施の形態）
上述した実施の形態の機能を実現するべく各種のデバイスを動作させるように、該各種デバイスと接続された装置或いはシステム内のコンピュータに対し、前記実施の形態の機能を実現するためのソフトウェアのプログラムコードを供給し、そのシステム或いは装置のコンピュータ（ＣＰＵ或いはＭＰＵ）に格納されたプログラムに従って前記各種デバイスを動作させることによって実施したものも、本発明の範疇に含まれる。
【０１０７】
また、この場合、前記ソフトウェアのプログラムコード自体が上述した実施の形態の機能を実現することになり、そのプログラムコード自体は本発明を構成する。そのプログラムコードの伝送媒体としては、プログラム情報を搬送波として伝搬させて供給するためのコンピュータネットワーク（ＬＡＮ、インターネット等のＷＡＮ、無線通信ネットワーク等）システムにおける通信媒体（光ファイバ等の有線回線や無線回線等）を用いることができる。
【０１０８】
さらに、前記プログラムコードをコンピュータに供給するための手段、例えばかかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【０１０９】
また、コンピュータが供給されたプログラムコードを実行することにより、上述の実施の形態の機能が実現されるだけでなく、そのプログラムコードがコンピュータにおいて稼働しているＯＳ（オペレーティングシステム）或いは他のアプリケーションソフト等と共同して上述の実施の形態の機能が実現される場合にもかかるプログラムコードは本発明の実施の形態に含まれることはいうまでもない。
【０１１０】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部又は全部を行い、その処理によって上述した実施の形態の機能が実現される場合にも本発明に含まれることはいうまでもない。
【０１１１】
なお、前記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。
【０１１２】
以下、本発明の実施態様の例を列挙する。
（実施態様１）被写体を撮影して取得される第１の画像と、第２の画像とを合成して出力可能な撮像装置であって、前記第１の画像と前記第２の画像のうちズーム処理を行う画像を選択する選択手段と、前記第１の画像が選択された場合には前記第１の画像に対するズーム倍率を変更することができ、前記第２の画像が選択された場合には前記第２の画像に対するズーム倍率を変更することができるズーム操作手段とを備えたことを特徴とする撮像装置。
【０１１３】
（実施態様２）前記第１の画像に対する光学ズーム処理手段及び電子ズーム処理手段と、前記第２の画像に対する電子ズーム手段とを備えたことを特徴とする実施態様１に記載の撮像装置。
【０１１４】
（実施態様３）前記第１の画像と前記第２の画像のうちいずれか一方の画像のズーム倍率の変更に同期して他方の画像のズーム倍率を変更するズーム制御手段と、ズーム倍率を同期させるか否かを切り替える切替手段とを備えたことを特徴とする実施態様１又は２に記載の撮像装置。
【０１１５】
（実施態様４）前記ズーム制御手段は、前記一方の画像のズーム倍率に同期して前記他方の画像のズーム倍率を変更する際に、前記第１の画像に対するズーム倍率と前記第２の画像に対するズーム倍率比が一定となるように制御することを特徴とする実施態様３に記載の撮像装置。
【０１１６】
（実施態様５）前記第１の画像に対する光学ズーム処理手段と、前記第２の画像に対する電子ズーム手段と、前記第１の画像と前記第２の画像を合成した合成画像に対して電子ズーム処理を行う電子ズーム処理手段とを備えたことを特徴とする実施態様１に記載の撮像装置。
【０１１７】
（実施態様６）前記合成画像に対して電子ズーム処理を行う場合に、その電子ズームのズーム倍率が大きくなるのに比例して前記第２の画像を縮小することを特徴とする実施態様５に記載の撮像装置。
【０１１８】
（実施態様７）被写体を撮影して取得される第１の画像と、第２の画像とを合成して出力可能な撮像装置であって、
被写体を撮影して前記第１の画像を取得する際にズーム倍率を変更するためのズーム操作手段と、前記ズーム操作手段によりズーム倍率を変更する対象を前記第２の画像へと切り替えるための切り替え手段とを備えたことを特徴とする撮像装置。
【０１１９】
（実施態様８）被写体を撮影して取得される第１の画像と、第２の画像を合成して出力可能な撮像装置であって、前記第１の画像に対する処理に応じて前記第２の画像に対して画像処理を行う画像処理手段と、前記第２の画像に関連付けられた特徴情報を取得する特徴情報取得手段と、前記特徴情報に基づいて前記第２の画像に対する画像処理を決定する画像処理決定手段とを備えたことを特徴とする撮像装置。
【０１２０】
かかる実施態様８の撮像装置によれば、第２の画像に関連付けられた特徴情報として、第１の画像のズーム、回転、パンニング、チルティング等の処理に連動して、第２の画像を拡大、縮小、回転、移動する／しないという情報を持たせることにより、撮影して取得される第１の画像と第２の画像を合成する際に、モード切り替え等の設定操作なしに容易に所望の合成画像を得ることができる。
【０１２１】
（実施態様９）前記特徴情報とは、前記第１の画像に対する処理に応じて前記第２の画像に対して画像処理する／しないという特徴であることを特徴とする実施態様８に記載の撮像装置。
【０１２２】
（実施態様１０）前記特徴情報とは、前記第１の画像と前記第２の画像の合成に関するパラメータであることを特徴とする実施態様８に記載の撮像装置。
【０１２３】
（実施態様１１）前記第１の画像に対する処理とはズーム、回転、パンニング、チルティングのいずれかであり、前記第２の画像に対する画像処理とは拡大、縮小、回転、移動のいずれかであることを特徴とする実施態様８に記載の撮像装置。
【０１２４】
（実施態様１２）前記特徴情報は前記第２の画像のデータに含まれていることを特徴とする実施態様８に記載の撮像装置。
【０１２５】
（実施態様１３）前記特徴情報はメタデータとして記録されていることを特徴とする実施態様１２に記載の撮像装置。
【０１２６】
（実施態様１４）前記特徴情報は電子透かしとして記録されていることを特徴とする実施態様１２に記載の撮像装置。
【０１２７】
（実施態様１５）前記特徴情報は前記第２の画像のデータとは別データであることを特徴とする実施態様８に記載の撮像装置。
【０１２８】
（実施態様１６）前記特徴情報は前記第２の画像のデータとともに管理されていることを特徴とする実施態様１５に記載の撮像装置。
【０１２９】
（実施態様１７）前記特徴情報は前記第２の画像のデータのファイル名から検出可能であることを特徴とする実施態様１５に記載の撮像装置。
【０１３０】
（実施態様１８）前記特徴情報は前記第２の画像のデータのファイルパスもしくはファイル格納位置から検出可能であることを特徴とする実施態様１５に記載の撮像装置。
【０１３１】
（実施態様１９）被写体を撮影して取得される第１の画像と、第２の画像を合成して出力可能な撮像装置を制御するためのプログラムであって、前記第１の画像と前記第２の画像のうちズーム処理を行う画像を選択させる処理と、同一のズーム操作手段での操作により、前記選択処理において前記第１の画像が選択された場合には前記第１の画像に対するズーム倍率を変更し、前記第２の画像が選択された場合には前記第２の画像に対するズーム倍率を変更する処理とを実行させることを特徴とするプログラム。
【０１３２】
（実施態様２０）被写体を撮影して取得される第１の画像と、第２の画像を合成して出力可能な撮像装置を制御するためのプログラムであって、前記第１の画像に対する処理に応じて前記第２の画像に対して画像処理を行う処理と、前記第２の画像に関連付けられた特徴情報を取得する処理と、前記特徴情報に基づいて前記第２の画像に対する画像処理を決定する処理とを実行させることを特徴とするプログラム。
【０１３３】
（実施態様２１）実施態様１９又は２０に記載のプログラムを格納したことを特徴とするコンピュータ読み取り可能な記憶媒体。
【０１３４】
【発明の効果】
以上述べたように本発明によれば、撮影画像と他の画像を合成する際に、同一のズーム操作手段により両画像のズーム倍率変更を行うことができるので、メニュー選択等の煩雑な操作なしで容易に操作を行うことができる。
【図面の簡単な説明】
【図１】第１の実施の形態の撮像装置の構成を表すブロック図である。
【図２】本実施の形態の撮像装置であるデジタルビデオカメラの外観構成図である。
【図３】スイッチボタン及びズームレバーの状態と、撮影画像及び合成する画像の関係を示す図である。
【図４】第２の実施の形態の撮像装置の構成を表すブロック図である。
【図５】スイッチボタン及びズームレバーの状態とそれに対応する合成する画像及び撮影画像の関係を示す図である。
【図６】合成する画像の例を説明するための図である。
【図７】合成する画像の例を説明するための図である。
【図８】撮影画像のズーム倍率と記録媒体画像のズーム倍率の関係を示す特性図である。
【図９】第３の実施の形態の撮像装置の構成を表すブロック図である。
【図１０】撮影画像のズーム倍率と記録媒体画像のズーム倍率の関係を示す特性図である。
【図１１】合成する画像の例を説明するための図である。
【図１２】第４の実施の形態の撮像装置の構成を表すブロック図である。
【図１３】撮影画像と撮影画像上に合成する画像及び出力される出力画像を出力部に出力した様子を示す図である。
【図１４】合成する画像データ内部の構造を示す図である。
【図１５】第５の実施の形態の撮像装置の構成を表すブロック図である。
【図１６】撮影画像と撮影画像上に合成する画像及び出力される出力画像を出力部に出力した様子を示す図である。
【図１７】撮影画像と撮影画像上に合成する画像及び出力される出力画像を出力部に出力した様子を示す図である。
【図１８】合成する画像データ内部の構造を示す図である。
【図１９】第６の実施の形態の撮像装置の構成を表すブロック図である。
【図２０】合成する画像データとメタデータをデータベースで管理する方法を概念的に示した図である。
【図２１】第７の実施の形態の撮像装置の構成を表すブロック図である。
【図２２】撮影画像と合成する合成画像とそのファイル名を説明するための図である。
【図２３】従来例の撮像装置の構成を表すブロック図である。
【符号の説明】
１００１      記録媒体に保存された画像データ
１００２      撮影画像データ
１００３      電子ズーム処理部
１００４      光学ズーム処理部
１００５      電子ズーム処理部
１００６      ズーム制御部
１００８      スイッチ回路
１００９      ズーム操作部
１０１０      画像合成処理部
１０１１      液晶モニタ等の出力装置
２００１      ズームレバー
２００２      スイッチボタン
【図１】
2004186788.tif 000003
【図２】
2004186788.tif 000004
【図３】
2004186788.tif 000005
【図４】
2004186788.tif 000006
【図５】
2004186788.tif 000007
【図６】
2004186788.tif 000008
【図７】
2004186788.tif 000009
【図８】
2004186788.tif 000010
【図９】
2004186788.tif 000011
【図１０】
2004186788.tif 000012
【図１１】
2004186788.tif 000013
【図１２】
2004186788.tif 000014
【図１３】
2004186788.tif 000015
【図１４】
2004186788.tif 000016
【図１５】
2004186788.tif 000017
【図１６】
2004186788.tif 000018
【図１７】
2004186788.tif 000019
【図１８】
2004186788.tif 000020
【図１９】
2004186788.tif 000021
【図２０】
2004186788.tif 000022
【図２１】
2004186788.tif 000023
【図２２】
2004186788.tif 000024
【図２３】
2004186788.tif 000025